(57)【要約】【課題】コンパクトな照明器具を提供する。【解決手段】照明器具１は、器具本体１０と、光源ユニット２０と、センサユニット１５０とを備えている。器具本体１０は、互いに対向する第一の面部８１と第二の面部８２とを有している。光源ユニット２０とセンサユニット１５０とは、第一の面部８１と第二の面部８２とに挟まれるように器具本体１０に収容されている。センサユニット１５０は、光源ユニット２０よりも第一の面部８１の近くに配置されている。光源ユニット２０は、発光部２１０と、発光部２１０の発する光を反射する反射部２２２と、発光部２１０の発する光と反射部２２２で反射される光を透過するカバー部２３０とからなる発光ユニット８４を有している。センサユニット１５０は、発光ユニット８４と第一の面部８１との間に配置されて器具本体１０に収容されている。【選択図】図５
2019102201.tif 000002
【特許請求の範囲】
【請求項１】
器具本体と、光源ユニットと、センサユニットとを備える照明器具であって、
前記器具本体は、
互いに対向する第一の面部と第二の面部とを有し、
前記光源ユニットと前記センサユニットとは、
前記第一の面部と前記第二の面部とに挟まれるように前記器具本体に収容されており、
前記センサユニットは、
前記光源ユニットよりも前記第一の面部の近くに配置されている照明器具。
【請求項２】
前記光源ユニットは、
光を発する発光部と、前記発光部の発する光を反射する反射部と、前記発光部の発する光と前記反射部で反射される光を透過するカバー部とからなる発光ユニットを有し、
前記センサユニットは、
前記発光ユニットと前記第一の面部との間に配置されて前記器具本体に収容されている請求項１に記載の照明器具。
【請求項３】
前記照明器具は、
使用状態において、前記第二の面部が前記第一の面部に対して下方となる請求項１または請求項２に記載の照明器具。
【発明の詳細な説明】
【技術分野】
【０００１】
この発明は照明器具に関する。
【背景技術】
【０００２】
従来では、階段の踊り場に設置される照明器具において、常用時に点灯する光源および点灯装置とは別に、非常時に点灯する非常用光源および非常用点灯装置を備えている照明器具がある（例えば、特許文献１）。
【０００３】
また従来では、１つの光源ユニットを、常用時と非常時の両方の点灯に兼用する非常用照明器具がある（例えば、特許文献２）。
【先行技術文献】
【特許文献】
【０００４】
【特許文献１】特開２０１７−５０２５７号公報
【特許文献２】特開２０１７−５９４２５号公報
【発明の概要】
【発明が解決しようとする課題】
【０００５】
特許文献１の非常用照明器具はセンサを備えているが、センサは、その検知エリアが光源ユニットに干渉しないよう配置しなければならない。特許文献１では、センサは光源ユニットの下側に設けられており器具本体の外側に配置されている。センサを器具本体の内部に収容した場合、非常用照明器具が大型化するおそれがある。
【０００６】
また、特許文献２に記載の照明器具は天井に取り付けられるが、床面を照射できるように主に直下方向へ配光制御される。そのため、この照明器具を階段非常用照明として壁面に取り付けた場合、階段利用者の正面に光が照射されることになり、配光制御のための部材の追加が必要となり、構造が複雑になることが予想される。
【０００７】
本発明は、コンパクトな照明器具の提供を目的とする。
【課題を解決するための手段】
【０００８】
この発明の照明器具は、
器具本体と、光源ユニットと、センサユニットとを備える照明器具であって、
前記器具本体は、
互いに対向する第一の面部と第二の面部とを有し、
前記光源ユニットと前記センサユニットとは、
前記第一の面部と前記第二の面部とに挟まれるように前記器具本体に収容されており、
前記センサユニットは、
前記光源ユニットよりも前記第一の面部の近くに配置されている。
【発明の効果】
【０００９】
本発明によって、コンパクトな照明器具を提供できる。
【図面の簡単な説明】
【００１０】
【図１】実施の形態１の図で、照明器具１の斜視図。
【図２】実施の形態１の図で、照明器具１の分解斜視図。
【図３】実施の形態１の図で、照明器具１の異なる方向の分解斜視図。
【図４】実施の形態１の図で、図２のＢ―Ｂ断面図。
【図５】実施の形態１の図で、図１のＡ―Ａ断面図。
【図６】実施の形態１の図で、階段および踊り場の断面図を示す図。
【図７】実施の形態１の図で、図６のＤ方向からみた図。
【発明を実施するための形態】
【００１１】
実施の形態１．
＊＊＊構成の説明＊＊＊
図１から図５を用いて、実施形態１の照明器具１の構成を説明する。
図１は、照明器具１の斜視図である。
図２は、照明器具１の分解斜視図である。
図３は、図２と異なる方向の照明器具１の分解斜視図である。
図４は、図２のＢ―Ｂ断面図である。
図５は、図１のＡ―Ａ断面図である。
【００１２】
図２、図３に示すように、照明器具１は、壁面８５に取り付けられる長手形状の器具本体１０と、器具本体１０に取り付けられる光源ユニット２０を有している。
光源ユニット２０は、器具本体１０の内部８６に収容される。
照明器具１はセンサユニット１５０を備えている。
器具本体１０と光源ユニット２０は略同一の長さに形成されている。
【００１３】
図１に示すように、照明器具１の長手方向をＸ方向とし、幅方向を短手方向Ｙとする。
図２に示すように、器具本体１０は、外郭を形成する本体部１１０を有している。
また、器具本体１０は、本体部１１０の内部に収容される取付部１２０、端子台１３０、非常用ユニット１４０、センサユニット１５０、センサ制御ユニット１６０、バッテリー１７０および点検スイッチ装置１８０を有している。
点検スイッチ装置１８０は、インジゲータ１８１と点検スイッチ１８２を有する。
【００１４】
図３に示すように、本体部１１０は、Ｘ方向矢視において略五角形状である。
壁面８５のような被取付面に取り付けられる。
以下、被取付面の例として壁面８５を用いて説明するが被取付面は壁面８５に限定されない。
本体部１１０は、背面部１１１、上側面部１１２、下側面部１１３と、正面部１１４および一対の側面部１１６を有する。
上側面部１１２は第一の面部８１であり、下側面部１１３は第二の面部８２である。
上側面部１１２と下側面部１１３とは互いに対向している。
背面部１１１は、壁面８５に取り付けられる。
上側面部１１２は、背面部１１１の上端部から背面部１１１と略垂直の方向に延びている。
下側面部１１３は、背面部１１１の下端部から背面部１１１と略垂直の方向に延びているが、上側面部１１２よりも延びる長さが短い。
正面部１１４は、背面部１１１と対向するように上側面部１１２の端部から延びている。
一対の側面部１１６は、本体部１１０の長手方向Ｘの両端部を塞いでいる。
また、正面部１１４の長手方向Ｘに延びる端部と下側面部１１３の長手方向Ｘに延びる端部との間には、開口１１５が形成されている。
開口１１５は図２でｐ，ｑ，ｒ，ｓで示している。
【００１５】
図２に示すように、背面部１１１には、本体部１１０を壁面８５に取り付けるための取付孔１１１ａと、商用電源から電力供給を受けるために電線を引き込む電源孔１１１ｂとが設けられている。
下側面部１１３には、点検スイッチ装置１８０のインジゲータ１８１が露出するための開口であるインジゲータ用開口１１３ａが形成されている。
正面部１１４には、センサユニット１５０の一部が突出するための開口であるセンサ用開口１１４ａが形成されている。
【００１６】
図２、図４に示すように、開口１１５は、背面部１１１および正面部１１４に対して斜めに形成されており、光源ユニット２０が挿入される。
開口１１５は、光源ユニット２０が本体部１１０の内部に収容するための開口である。
【００１７】
図２、図５に示すように、光源ユニット２０は、開口１１５から、器具本体１０に斜めに挿入され収容される。
【００１８】
図４に示すように、器具本体１０は、第一収容部１１と、第二収容部１２を有している。内部８６の空間は、第一収容部１１と第二収容部１２を有している。
第一収容部１１は、背面部１１１と正面部１１４との間の空間であり、長手方向Ｘに延びる空間である。
第二収容部１２は、背面部１１１と開口１１５との間の空間であり、長手方向Ｘに延びる空間である。
図２、図５に示すように、第一収容部１１には、非常用ユニット１４０、センサユニット１５０、センサ制御ユニット１６０、バッテリー１７０などの大きめの部品が配置される。
また、第二収容部１２には、光源ユニット２０が収容されるとともに、端子台１３０、点検スイッチ装置１８０のような小さめの部品が光源ユニット２０と干渉しないように配置されている。光源ユニット２０が収容された状態において、取付部１２０、端子台１３０、点検スイッチ装置１８０、電源装置２４０は、長手方向に並ぶように配設されている。よって、照明器具１をコンパクトにすることができる。
【００１９】
取付部１２０は、本体側取付部と光源側取付部を有する。
取付部１２０は、光源ユニット２０を器具本体１０に取り付けるための機構である。
本体部１１０に配置される本体側取付部の例はバネ１２１であり、光源ユニット２０に配置される光源側取付部の例は取付金具２５０である。
なお、バネ１２１はバネ取付台１２２に固定される。
バネ１２１は光源ユニット２０に設けられた取付金具２５０と係合することで、光源ユニット２０を器具本体１０に固定する。
光源ユニット２０を背面部１１１に対して斜めに取り付けできるように、バネ取付台１２２によって、バネ１２１は斜めに固定されている。
【００２０】
端子台１３０は、電源孔１１１ｂに挿通された電源線が接続される端子台接続部１３１を有する。
端子台１３０には、光源ユニット２０の電源装置２４０、非常用ユニット１４０、センサ制御ユニット１６０に給電するための図示しない給電線が接続される。
【００２１】
非常用ユニット１４０は、充電回路、切替部および非常用点灯回路を備えている。
充電回路は、商用電源から供給される電力をバッテリー１７０に供給しバッテリー１７０を充電させる。
切替部は、商用電源からの給電状況に応じてバッテリーを充電回路に接続する非停電状態と、バッテリー１７０を非常用点灯回路に接続する停電状態とを択一的に切り替える。
非常用点灯回路は、非常時にバッテリー１７０からの電力供給を受け、光源ユニット２０を点灯させる。
非常用ユニット１４０は、光源ユニット２０と接続している。
【００２２】
センサユニット１５０は、ＳＨＦ帯のマイクロ波を送信し且つ物体に反射した電波を受信し、ドップラー効果に起因した送信波と受信波の周波数差に基づいて、人あるいは開閉される扉のような移動体を検出する。
センサユニット１５０は移動体を検出したときに、検出信号をセンサ制御ユニット１６０に出力する。
ただし、センサユニット１５０として、電波の代わりに超音波の送受波によって移動体を検出する装置を用いてもよい。
【００２３】
センサ制御ユニット１６０は、センサユニット１５０から検出信号が出力されていない場合、光源ユニット２０の電源装置２４０を停止させて光源ユニット２０を消灯させ、あるいは、定格よりも十分に少ない電力を電源装置２４０に供給させて光源ユニット２０を調光点灯させる。
なお、電源装置２４０が光源ユニット２０を調光点灯する方法としては、電流値の振幅値を変化させる方法、あるいは電流を供給する期間を変化させて単位時間当たりの供給電力を増減する方法がある。
【００２４】
また、センサユニット１５０から検出信号が出力された場合、センサ制御ユニット１６０は、電源装置２４０を制御して定格出力を供給させることにより、光源ユニット２０を定格点灯させる。
センサ制御ユニット１６０は、センサユニット１５０から検出信号が出力されなくなった時点から待機時間が経過した場合、電源装置２４０を制御して光源ユニット２０を消灯または調光点灯させる。
ただし、待機時間内に再度検出信号が出力された場合、センサ制御ユニット１６０は待機時間の計時をリセットし、光源ユニット２０を定格点灯させ続ける。なお、待機時間は予めセンサ制御ユニット１６０に設定されている。
【００２５】
バッテリー１７０は、非常用ユニット１４０を介して供給される電力を蓄える。
バッテリー１７０は、商用電源から電力供給が停止した非常時には、非常用ユニット１４０に電力を供給し、光源ユニット２０を点灯させる。
【００２６】
点検スイッチ装置１８０の有するインジゲータ１８１は、バッテリー１７０の充電状態を示す。
点検スイッチ装置１８０の有する点検スイッチ１８２が押された場合、非常用ユニット１４０の切替部が強制的に非停電状態に切り替わり、非常用点灯回路が正常に動作するかどうかを確認する点検作業が開始する。
点検スイッチ装置１８０は、本体部１１０の下側面部１１３に形成されたインジゲータ用開口１１３ａから点検スイッチ１８２およびインジゲータ１８１が露出するように配置されている。
【００２７】
光源ユニット２０は、長尺形状をしており、器具本体１０に開口１１５から挿入され、器具本体１０に収容される。
図１、図２からわかるように、光源ユニット２０は、開口１１５と略同一の長さに形成されている。
光源ユニット２０は、発光部２１０と、フレーム２２０と、カバー部２３０と、電源装置２４０と、取付金具２５０とを有している。
発光部２１０は、発光素子２１１が基板２１２に実装されている。
フレーム２２０は、発光部２１０が取り付けられる。
カバー部２３０は、発光部２１０と対向するようにフレーム２２０に取り付けられる。
電源装置２４０は、発光部２１０を点灯させるための電力を供給する。
取付金具２５０は、バネ１２１と係合して光源ユニット２０を器具本体１０に着脱自在に固定する。
【００２８】
光源ユニット２０は、器具本体１０に収容された状態で、カバー部２３０が開口１１５を塞ぐように収容されている。
また、光源ユニット２０は、背面部１１１の垂直方向よりも下側面部１１３の側へ、斜めに傾斜した状態で収容されている。
つまり、光源ユニット２０は水平よりも下向きに器具本体１０へ収容される。
光源ユニット２０は器具本体１０に収容された状態で、発光部２１０が開口１１５よりも器具本体１０の内部に位置する。
光源ユニット２０は、想定している対象範囲を照射できるよう、器具本体１０に斜めに収容されている。
想定している対象範囲は、例えば廊下であれば床面であり、階段の踊り場であれば踊り場および階段の範囲である。
【００２９】
発光部２１０は、長尺の基板２１２に発光素子２１１が直線上に複数実装されている。
なお、複数実装されている列としては１列でもよいし複数列でも良い。
【００３０】
フレーム２２０は、金属板を折り曲げで形成されている。
フレーム２２０は、発光部２１０が取り付けられる載置部２２１、載置部２２１の短手方向Ｙの両端から互いに離れるよう突設した反射部２２２、カバー部２３０を保持するカバー保持部２２３、を有している。
なお、金属板を折り曲げて形成するだけでなく、フレーム２２０はアルミのような材料を成型して形成しても良い。
【００３１】
カバー部２３０は、板状のガラス材で形成されており、フレーム２２０のカバー保持部２２３に取り付けられている。
カバー部２３０は、発光部２１０からの光を拡散して出射する。
また、カバー部２３０は、不燃材であるガラス材を用いていることで、発光部２１０への延焼を抑制することができ、光源ユニット２０を常用光源と非常用光源の両方で使用することができる。なお、カバー部２３０は光の透過性を有し不燃材であれば、ガラス材と異なる材料で形成しても良い。
また、カバー部２３０は、板状に限られるものでなない。一部が湾曲するよう形状であっても良い。
【００３２】
電源装置２４０は、商用電源から供給される電力を発光部２１０が点灯できる電力に変換し発光部２１０へ供給する。
電源装置２４０は、電源本体部２４１、第１入力部２４２、第２入力部２４３、出力電線２４４、第３入力部２４５を有する。
電源本体部２４１には回路基板が内蔵されている。
第１入力部２４２は、電源本体部２４１の入力側に設けられ、端子台１３０の端子台接続部１３１と接続する。
第２入力部２４３は、電源本体部２４１の入力側に設けられ、センサ制御ユニット１６０のセンサ接続部１６１と接続する。
出力電線２４４は、電源本体部２４１の出力側に設けられ、発光部２１０と接続する。
第３入力部２４５は、出力電線２４４の中間に設けられ、非常用ユニット１４０の非常用接続部１４１と接続する。
第１入力部２４２には商用電源からの電力が供給され、第２入力部２４３にはセンサ制御ユニット１６０からの制御信号が送信され、第３入力部２４５には非常時に非常用ユニット１４０の非常点灯用回路からの電力が供給される。
【００３３】
取付金具２５０は、バネ１２１と係合して光源ユニット２０を器具本体１０に固定する。
取付金具２５０は、載置部２２１の発光部２１０の反対側に取り付けられている。
取付金具２５０は、長手方向Ｘにおいて電源装置２４０をはさむよう２つ設けられている。
なお、バネ１２１が光源ユニット２０に設けられ、取付金具２５０が器具本体１０に設けられても良い。
【００３４】
図５を参照して、器具本体１０に収容されている光源ユニット２０およびセンサユニット１５０の収容状態を説明する。
光源ユニット２０とセンサユニット１５０とは、上側面部１１２と下側面部１１３とに挟まれるように、器具本体１０に収容されている。
センサユニット１５０は、光源ユニット２０よりも上側面部１１２の近くに配置されている。
よって、センサユニット１５０の検知範囲は光源ユニット２０と干渉しない。
また、センサユニット１５０は、器具本体１０に収容されるので照明器具１がコンパクトになる。
【００３５】
光源ユニット２０は、発光ユニット８４を有する。
発光ユニット８４は、光を発する発光部２１０と、発光部２１０の発する光を反射する反射部２２２と、発光部２１０の発する光と反射部２２２で反射される光を透過するカバー部２３０とからなる。
センサユニット１５０は、発光ユニット８４と上側面部１１２との間に配置されて器具本体１０に収容されている。
図５に示すように、照明器具１は、使用状態において、下側面部１１３が上側面部１１２に対して下方となる。
センサユニット１５０は、発光ユニット８４と上側面部１１２との間に配置されて器具本体１０に収容されているので、センサユニット１５０の検知範囲が発光ユニット８４と干渉することはなく、照明器具１のサイズもコンパクトになる。
【００３６】
図５に示すように、器具本体１０は壁面８５に対向するように配置される背面部１１１と、背面部１１１に対向する正面部１１４とを有する。
開口１１５は、背面部１１１が正面部１１４に向かって角度θだけ倒れる状態の傾斜状態８３に傾斜している。
透光性のカバー部２３０は、開口１１５を塞ぐように配置されている。
よって、開口１１５に位置するカバー部２３０を介して照射される光は、水平方向よりも下方に向けて照射されることになる。
【００３７】
光源ユニット２０は、開口１１５を介して器具本体１０の内部８６から器具本体１０の外部８８へ外し可能であり、またその逆に、開口１１５を介して器具本体１０の外部８８から内部８６へ取り付け可能である。
よって、器具本体１０へ光源ユニット２０の着脱が容易である。
【００３８】
光源ユニット２０は、発光素子２１１が配置されて、カバー部２３０と対向するように器具本体１０の内部に収容された基板２１２を有する。
よって、開口１１５に位置するカバー部２３０を介して照射される光は、水平方向よりも下方に向けて照射されることになる。
【００３９】
次に、照明器具１の照射範囲およびセンサ検知範囲に関して説明を行なう。
図６は、階段および踊り場の断面図である。
図７は、図６のＤ方向からみた図である。
図６において、ＯＤ１、ＯＤ２，ＯＤ３は踊り場１、踊り場２、踊り場３を示す。
図６、図７のＫ１，Ｋ２は階段１、階段２を示す。
照明器具１は、光源ユニット２０が非停電時である常用時と、停電時である非常時の両方で兼用できる。
よって、常用時、非常時用ともに同じような配光、図６におけるＬ１の範囲への照射が可能である。
また、特許文献１（特開２０１７−５０２５７号公報）のように長手方向の両方の端部に非常灯光源を別置きした構成であると、２つの非常用光源の間が照射できず、踊り場のような被照射部が十分に照射されない恐れがある。
一方、光源ユニット２０は長尺であり、かつ、光源ユニット２０が常用時、非常時で兼用であるので、常用時および非常時ともに非照射部を全体的に照射できる。
【００４０】
また、照明器具１は、斜め下方向に照射できるように光源ユニット２０を収容していることで、図６における踊り場ＯＤ１、踊り場ＯＤ２，踊り場ＯＤ３および階段Ｋ１，階段Ｋ２を照射することができる。
実施の形態１の照明器具１に対して、特許文献１の常用光源は取付面に対して垂直な正面方向への照射が強く、踊り場の方向である斜め下方への照射が弱い。そのため、踊り場を十分に照射できない恐れがある。
【００４１】
照明器具１は、光源ユニット２０を斜め下方向に照射できるように収容しているので、歩行者が眩しく感じることを抑制することができる。
特許文献１の照明器具は、正面方向の光が強く、歩行者に強い光が直接照射されるため、歩行者がまぶしく感じるおそれがあり、まぶしさを抑制するために拡散板を取り付ける必要も考えられる。
これに対して、照明器具１は、光源ユニット２０の照射方向をななめ下方にしているので、新たな部品を増やすことなく、まぶしさを抑制できる。
【００４２】
また、光源ユニット２０は、反射部２２２の形状、つまり反射部２２の傾斜の向きを変更することで、光源ユニットの配光を変更できる。
【００４３】
なお、光源ユニット２０の非常時の明るさは、常時の明るさよりも明るくなくて良く、消防法の法令で定められている照度以上の照度が確保できる光量であれば良い。
【００４４】
＊＊＊効果の説明＊＊＊
（１）実施の形態１の照明器具１では、センサユニット１５０の一部が正面部１１４から突き出すように第一収容部１１に収容され、光源ユニット２０が開口１１５から斜めに第二収容部１２に収容されているので、センサユニット１５０の検知エリアに光源ユニット２０が干渉することを防止できる。
（２）第一収容部１１には、非常用ユニット１４０、センサユニット１５０、センサ制御ユニット１６０、バッテリー１７０などの大きめの部品が配置され、第二収容部１２には、光源ユニット２０が収容されるとともに、端子台１３０、点検スイッチ装置１８０のような小さめの部品が光源ユニット２０と干渉しないように配置されていることで、照明器具１が大きくなるのを抑制することができる。
（３）照明器具１は、光源ユニット２０が常用時および非常用時の光源を兼用する。
よって、長手方向に新たに非常用光源ユニットを配置する必要がなく、部品数が増えるのを抑制できる。
（４）照明器具１では、光源ユニット２０を開口１１５から外すことで、バッテリー１７０を交換できる。
光源ユニット２０はバネ１２１により固定されているが光源ユニット２０を引っ張ることで器具本体１０が取り外すことができるので工具を用いずに光源ユニット２０の着脱ができる。
よって、容易にバッテリー１７０を交換できる。
（５）照明器具１によれば、器具本体１０にセンサユニット１５０を収容することにより、コンパクトで、センサユニット１５０の検知範囲が光源ユニット２０と干渉することのない照明器具１を提供できる。
（６）照明器具１では、光源ユニット２０が器具本体１０に斜めの収納されており、照明器具１が壁面８５に設置された際に、光源ユニット２０は水平に対して斜め下方を照射する。
よって照明器具１によれば、簡易な構成で階段および踊り場を照射できる照明器具を提供することができる。
【符号の説明】
【００４５】
１  照明器具、１０  器具本体、１１  第一収容部、１２  第二収容部、１１０  本体部、１１１  背面部、１１１ａ  取付孔、１１１ｂ  電源孔、１１２  上側面部、１１３  下側面部、１１３ａ  インジゲータ用開口、１１４  正面部、１１４ａ  センサ用開口、１１５  開口、１１６  側面部、１２０  取付部、１２１  バネ、１２２  バネ取付台、１３０  端子台、１３１  端子台接続部、１４０  非常用ユニット、１４１  非常用接続部、１５０  センサユニット、１６０  センサ制御ユニット、１６１  センサ接続部、１７０  バッテリー、１８０  点検スイッチ装置、１８１  インジゲータ、１８２  点検スイッチ、２０  光源ユニット、２１０  発光部、２１１  発光素子、２１２  基板、２２０  フレーム、２２１  載置部、２２２  反射部、２２３  カバー保持部、２３０  カバー部、２４０  電源装置、２４１  電源本体部、２４２  第１入力部、２４３  第２入力部、２４４  出力電線、２４５  第３入力部、２５０  取付金具、８１  第一の面部、８２  第二の面部、８３  傾斜状態、８４  発光ユニット、８５  壁面、８６  内部、８８  外部。
【図１】
2019102201.tif 000003
【図２】
2019102201.tif 000004
【図３】
2019102201.tif 000005
【図４】
2019102201.tif 000006
【図５】
2019102201.tif 000007
【図６】
2019102201.tif 000008
【図７】
2019102201.tif 000009